【手続補正書】
【提出日】平成26年12月11日(2014.12.11)
【手続補正１】
【補正対象書類名】特許請求の範囲
【補正対象項目名】全文
【補正方法】変更
【補正の内容】
【特許請求の範囲】
【請求項１】
被検体を撮影装置で撮影して得られる複数の断層画像を取得する断層画像取得手段と、
前記被検体の腫瘍マーカー値を含む、前記被検体の複数種類の検査結果を取得する検査結果取得手段と、
前記検査結果毎に、その検査結果を用いて、前記被検体の所定の部位を特定する特定手段と、
前記特定手段で特定された部位毎に、前記腫瘍マーカー値から重要度を決定する重要度決定手段と、
前記複数の断層画像のうち前記特定手段で特定された部位の断層画像を重要度に応じて表示部に表示する制御を行う表示制御手段と、
を有することを特徴とする読影装置。
【請求項２】
前記表示制御手段は、重要度の取りうる範囲内の予め定められた一部の範囲に属する重要度の部位の断層画像を表示する制御を行う
ことを特徴とする請求項１に記載の読影装置。
【請求項３】
前記表示制御手段は、重要度がより高い部位から順番に、その部位の断層画像を表示する制御を行う
ことを特徴とする請求項１または２に記載の読影装置。
【請求項４】
前記表示制御手段は、
前記特定手段で特定された部位の断層画像を順次切り替えて表示する制御を行うものであり、
重要度が高い部位の断層画像を重要度が低い部位の断層画像よりも遅い速度で切り替える
ことを特徴とする請求項１〜３のいずれか１項に記載の読影装置。
【請求項５】
前記特定手段で特定された部位の断層画像のうち、表示対象の断層画像のそれぞれが所定時間以上表示されていない状態でユーザーから読影の終了が指示された場合に、読影が完了していないことをユーザーに通知する通知手段を更に有する
ことを特徴とする請求項１〜４のいずれか１項に記載の読影装置。
【請求項６】
前記読影装置は、前記重要度決定手段で決定された、前記特定手段で特定された部位毎の重要度を前記撮影装置に出力する出力手段を更に有し、
前記撮影装置は、前記出力手段で出力された重要度に基づいて、重要度が高い部位のほうが重要度が低い部位及び前記特定手段で特定されなかった部位よりも小さくなるように、各部位のスライス間隔を設定する
ことを特徴とする請求項１〜５のいずれか１項に記載の読影装置。
【請求項７】
前記重要度決定手段で決定された重要度に基づいて、重要度が高い部位のほうが重要度が低い部位及び前記特定手段で特定されなかった部位よりも小さくなるように、各部位の、断層画像間の撮影位置の間隔であるスライス間隔を設定する設定手段を更に有する
ことを特徴とする請求項１〜５のいずれか１項に記載の読影装置。
【請求項８】
前記複数種類の検査結果は、ＰＥＴ画像を含む
ことを特徴とする請求項１〜７のいずれか１項に記載の読影装置。
【請求項９】
前記断層画像はＣＴ画像である
ことを特徴とする請求項１〜８のいずれか１項に記載の読影装置。
【請求項１０】
被検体を撮影装置で撮影して得られる複数の断層画像を取得する断層画像取得ステップと、
前記被検体の腫瘍マーカー値を含む、前記被検体の複数種類の検査結果を取得する検査結果取得ステップと、
前記検査結果毎に、その検査結果を用いて、前記被検体の所定の部位を特定する特定ステップと、
前記特定ステップで特定された部位毎に、前記腫瘍マーカー値から重要度を決定する重要度決定ステップと、
前記特定ステップで特定された部位の断層画像を重要度に応じて表示部に表示する制御を行う表示制御ステップと、
を有することを特徴とする読影装置の制御方法。
【請求項１１】
前記表示制御ステップでは、重要度の取りうる範囲内の予め定められた一部の範囲に属する重要度の部位の断層画像を表示する制御を行う
ことを特徴とする請求項１０に記載の読影装置の制御方法。
【請求項１２】
前記表示制御ステップでは、重要度がより高い部位から順番に、その部位の断層画像を表示する制御を行う
ことを特徴とする請求項１０または１１に記載の読影装置の制御方法。
【請求項１３】
前記表示制御ステップは、前記特定ステップで特定された部位の断層画像を順次切り替えて表示する制御を行うステップであり、
前記表示制御ステップでは、重要度が高い部位の断層画像を重要度が低い部位の断層画像よりも遅い速度で切り替える
ことを特徴とする請求項１０〜１２のいずれか１項に記載の読影装置の制御方法。
【請求項１４】
前記特定ステップで特定された部位の断層画像のうち、表示対象の断層画像のそれぞれが所定時間以上表示されていない状態でユーザーから読影の終了が指示された場合に、読影が完了していないことをユーザーに通知する通知ステップを更に有する
ことを特徴とする請求項１０〜１３のいずれか１項に記載の読影装置の制御方法。
【請求項１５】
前記重要度決定ステップで決定された、前記特定ステップで特定された部位毎の重要度を前記撮影装置に出力する出力ステップを更に有し、
前記撮影装置は、前記出力ステップで出力された重要度に基づいて、重要度が高い部位のほうが重要度が低い部位及び前記特定ステップで特定されなかった部位よりも小さくなるように、各部位のスライス間隔を設定する
ことを特徴とする請求項１０〜１４のいずれか１項に記載の読影装置の制御方法。
【請求項１６】
前記重要度決定ステップで決定された重要度に基づいて、重要度が高い部位のほうが重要度が低い部位及び前記特定ステップで特定されなかった部位よりも小さくなるように、各部位の、断層画像間の撮影位置の間隔であるスライス間隔を設定する設定ステップを更に有する
ことを特徴とする請求項１０〜１４のいずれか１項に記載の読影装置の制御方法。
【請求項１７】
前記複数種類の検査結果は、ＰＥＴ画像を含む
ことを特徴とする請求項１０〜１６のいずれか１項に記載の読影装置の制御方法。
【請求項１８】
前記断層画像はＣＴ画像である
ことを特徴とする請求項１０〜１７のいずれか１項に記載の読影装置の制御方法。
【手続補正２】
【補正対象書類名】明細書
【補正対象項目名】０００８
【補正方法】変更
【補正の内容】
【０００８】
本発明の読影装置は、
被検体を撮影装置で撮影して得られる複数の断層画像を取得する断層画像取得手段と、
前記被検体の腫瘍マーカー値を含む、前記被検体の複数種類の検査結果を取得する検査結果取得手段と、
前記検査結果毎に、その検査結果を用いて、前記被検体の所定の部位を特定する特定手段と、
前記特定手段で特定された部位毎に、前記腫瘍マーカー値から重要度を決定する重要度決定手段と、
前記複数の断層画像のうち前記特定手段で特定された部位の断層画像を重要度に応じて表示部に表示する制御を行う表示制御手段と、
を有することを特徴とする。
【手続補正３】
【補正対象書類名】明細書
【補正対象項目名】０００９
【補正方法】変更
【補正の内容】
【０００９】
本発明の読影装置の制御方法は、
被検体を撮影装置で撮影して得られる複数の断層画像を取得する断層画像取得ステップと、
前記被検体の腫瘍マーカー値を含む、前記被検体の複数種類の検査結果を取得する検査結果取得ステップと、
前記検査結果毎に、その検査結果を用いて、前記被検体の所定の部位を特定する特定ステップと、
前記特定ステップで特定された部位毎に、前記腫瘍マーカー値から重要度を決定する重要度決定ステップと、
前記特定ステップで特定された部位の断層画像を重要度に応じて表示部に表示する制御を行う表示制御ステップと、
を有することを特徴とする。